(57)【要約】【課題】インターホン親機で所定の操作を受けると、子供等の居場所を、携帯電話機を用いて自動的に検出して、その近傍のカメラで撮影している映像をインターホン親機で再生させる。【解決手段】インターホン親機１１は、所定の操作を受けると、インターホン制御装置１５に対して、映像要求指令を送信し、インターホン制御装置１５は、その指令を受信すると、携帯電話サーバ装置１８に、携帯電話機１９のアドレスを通知することで、その携帯電話機１９と通信可能な状態になっているアクセスポイント１３を特定し、その特定したアクセスポイントに対応した監視カメラ１２で撮影している映像信号を、インターホン親機１１に対して伝送して、モニタテレビ１０５に再生させる。【選択図】図１
2010245644.tif 000002
【特許請求の範囲】
【請求項１】
住棟共用部に配置した監視カメラで撮影した映像を、各部屋に設置されモニタテレビを有したインターホン親機に伝送して再生させる機能を有した集合住宅用インターホンシステムと、複数のアクセスポイントと、前記アクセスポイントを接続した携帯電話サーバ装置を有した携帯電話システムとを組み合わせた監視カメラ連動インターホンシステムであって、
監視カメラのそれぞれを、該監視カメラの近傍に設置されたアクセスポイントに対応させて登録したインターホン制御装置を備え、
前記インターホン親機は、携帯電話機に割り付けられたアドレスを登録しており、所定の操作を受けると、前記インターホン制御装置に対して、前記アドレスを含ませた映像要求指令を送信し、
前記インターホン制御装置は、前記指令を受信すると、前記携帯電話サーバ装置に該指令に含まれたアドレスを通知することで、該アドレスが割り付けられた携帯電話機と通信可能な状態になっているアクセスポイントを特定し、その特定したアクセスポイントに対応した監視カメラで撮影している映像信号を、前記インターホン親機に対して伝送して、前記モニタテレビに再生させることを特徴とした監視カメラ連動インターホンシステム。
【請求項２】
住棟共用部に配置した監視カメラで撮影した映像を、各部屋に設置されモニタテレビを有したインターホン親機に伝送して再生させる機能を有した集合住宅用インターホンシステムと、複数のアクセスポイントを制御する携帯電話サーバ装置を有した携帯電話システムとを組み合わせた監視カメラ連動インターホンシステムであって、
監視カメラのそれぞれを、該監視カメラの近傍に設置されたアクセスポイントに対応させて登録し、かつ携帯電話機に割り付けられたアドレスを、インターホン親機毎に登録したインターホン制御装置を備え、
前記インターホン親機は、所定の操作を受けると、前記インターホン制御装置に対して、所定の映像要求指令を送信し、
前記インターホン制御装置は、前記指令を受信すると、前記インターホン親機に対応した携帯電話機のアドレスを、前記携帯電話サーバ装置に通知することで、該アドレスが割り付けられた携帯電話機と通信可能な状態になっているアクセスポイントを特定し、その特定したアクセスポイントに対応した監視カメラで撮影している映像信号を、前記インターホン親機に対して伝送させ、前記モニタテレビに再生させることを特徴とした監視カメラ連動インターホンシステム。
【請求項３】
請求項１または２において、
前記インターホン制御装置は、前記アクセスポイントの特定が不成功の場合には、その不成功を、前記インターホン親機に通知することを特徴とした監視カメラ連動インターホンシステム。
【請求項４】
請求項１〜３のいずれかに記載された監視カメラ連動インターホンシステムに用いられるインターホン親機であって、
モニタテレビを有し、前記インターホン制御装置によって特定されたアクセスポイントに対応した監視カメラで撮影している映像信号を受け付けて、前記モニタテレビに再生させることを特徴としたインターホン親機。
【発明の詳細な説明】
【技術分野】
【０００１】
本発明は、監視カメラと連動する機能を有した集合住宅用インターホンシステムの改良に関する。
【背景技術】
【０００２】
マンション等の集合住宅用のインターホンシステムと監視カメラとを連動させる従来技術の例では、例えば、特許文献１に、集合玄関カメラ、監視カメラ等を備え、集合玄関機からの呼出時に、居室親機のカメラ切替ボタンが操作されると、集合玄関カメラおよび監視カメラを順次切り替えて動作させる制御を行う構成とされた集合住宅インターホンシステムが開示されている。
【先行技術文献】
【特許文献】
【０００３】
【特許文献１】特開2005-109804号公報
【発明の概要】
【発明が解決しようとする課題】
【０００４】
しかしながら、上記特許文献１のような構成では、子供等のいる場所の映像を見るためには、複数のカメラの中から、各カメラの映像を順番に確認していかねばならず、非常に手間がかかるという問題があった。そこで、本発明は、インターホン親機で所定の操作を受けると、子供等の居場所を、携帯電話機を用いて自動的に検出して、その近傍のカメラで撮影している映像をインターホン親機で再生する機能を有した新規な構成の集合住宅用インターホンシステムを提供することを課題とする。
【課題を解決するための手段】
【０００５】
第１の本発明による監視カメラ連動インターホンシステムは、住棟共用部に配置した監視カメラで撮影した映像を、各部屋に設置されモニタテレビを有したインターホン親機に伝送して再生させる機能を有した集合住宅用インターホンシステムと、複数のアクセスポイントと、前記アクセスポイントを接続した携帯電話サーバ装置を有した携帯電話システムとを組み合わせた基本構成を有し、監視カメラのそれぞれを、該監視カメラの近傍に設置されたアクセスポイントに対応させて登録したインターホン制御装置を備え、前記インターホン親機は、携帯電話機に割り付けられたアドレスを登録しており、所定の操作を受けると、前記インターホン制御装置に対して、前記アドレスを含ませた映像要求指令を送信し、前記インターホン制御装置は、前記指令を受信すると、前記携帯電話サーバ装置に該指令に含まれたアドレスを通知することで、該アドレスが割り付けられた携帯電話機と通信可能な状態になっているアクセスポイントを特定し、その特定したアクセスポイントに対応した監視カメラで撮影している映像信号を、前記インターホン親機に対して伝送して、前記モニタテレビに再生させる。
【０００６】
また、第２の本発明は、住棟共用部に配置した監視カメラで撮影した映像を、各部屋に設置されモニタテレビを有したインターホン親機に伝送して再生させる機能を有した集合住宅用インターホンシステムと、複数のアクセスポイントと、前記アクセスポイントを接続した携帯電話サーバ装置を有した携帯電話システムとを組み合わせた基本構成を有し、監視カメラのそれぞれを、該監視カメラの近傍に設置されたアクセスポイントに対応させて登録し、かつ携帯電話機に割り付けられたアドレスを、インターホン親機毎に登録したインターホン制御装置を備え、前記インターホン親機は、所定の操作を受けると、前記インターホン制御装置に対して、所定の映像要求指令を送信し、前記インターホン制御装置は、前記指令を受信すると、前記インターホン親機に対応した携帯電話機のアドレスを、前記携帯電話サーバ装置に通知することで、該アドレスが割り付けられた携帯電話機と通信可能な状態になっているアクセスポイントを特定し、その特定したアクセスポイントに対応した監視カメラで撮影している映像信号を、前記インターホン親機に対して伝送させ、前記モニタテレビに再生させる。
【０００７】
なお、上記いずれの構成においても、前記インターホン制御装置は、前記アクセスポイントの特定が不成功の場合には、その不成功を、前記インターホン親機に通知することが望ましい。
また、前記インターホン親機は、前記インターホン制御装置によって特定されたアクセスポイントに対応した監視カメラで撮影している映像信号を受け付けて、前記モニタテレビに再生させる構成とされる。
【発明の効果】
【０００８】
第１、第２の本発明によれば、インターホン制御装置は、インターホン親機からの指令に基づいて、子供等、所在を検出すべき者が持参している携帯電話機のアドレスを、携帯電話サーバ装置に通知することで、その携帯電話機が通信圏内にいるアクセスポイントを特定し、その近傍に設置されている監視カメラが撮影している映像を、インターホン親機に伝送させ、モニタテレビで再生させるようになっている。従って、従来の構成のような手動操作で監視カメラを順次切り替える操作なしに、所在を検出すべき者が映っている映像を取得できて、利便である。
【０００９】
また、特に第１の本発明では、携帯電話機に割り付けられたアドレスを、インターホン親機に登録する構成としているので、居住者自らが管理人の手を煩わせずに携帯電話機のアドレスを登録することが可能であり、プライバシーが守られるという利点がある。
【００１０】
また、特に第２の本発明では、携帯電話機に割り付けられたアドレスを、インターホン制御装置に登録する構成としているので、そのための記憶回路が集約でき、低コストになる。
【００１１】
インターホン制御装置は、アクセスポイントの特定が失敗した場合には、インターホン親機にその旨が表示されるので、迅速に対処できる。
【図面の簡単な説明】
【００１２】
【図１】は、実施例の基本的なブロック図である。
【図２】は、実施例のより具体的なブロック図である。
【図３】は、実施例における信号伝送を示したフロー図である。
【発明を実施するための形態】
【００１３】
本発明による監視カメラ連動インターホンシステムは、住棟共用部に配置した監視カメラ１２で撮影した映像を、各部屋に設置され、モニタテレビ１０５を有したインターホン親機１１に伝送して再生させる機能を有した集合住宅用インターホンシステムと、複数のアクセスポイント（AP）１３間でローミングを可能とした携帯電話システムとを組み合わせた構成になっている。
【００１４】
ここに、集合住宅用インターホンシステムの部分は、カメラ１１ａを有したドアホン子器１１ｂを接続したインターホン親機１１と、共同ロビーに設置されたロビー機１４と、住棟ロビー、駐車場、およびキッズルーム等、住棟の共用部に設置された監視カメラ１２と、インターホン親機１１とロビー機１４との通話等を制御するインターホン制御装置１５と、映像信号を伝送すべき監視カメラ１２を選択するスイッチ１６と、映像信号に対して圧縮処理等を施す映像制御盤１７とで構成されている。
【００１５】
一方、携帯電話システムの部分は、携帯電話機１９と無線通信する複数のアクセスポイント１３と、アクセスポイント１３を制御する携帯電話サーバ装置１８とで構成されている。携帯電話サーバ装置１８は、インターネット等のネットワークに接続されており、このネットワークを通じて他場所の固定電話あるいは携帯電話機１９とも通話が可能である。
【００１６】
また、本発明の特徴的な構成として、インターホン制御装置１５と、携帯電話サーバ装置１８とが信号線によって連結されている。
【００１７】
なお、携帯電話システムは、IEEE 802.11（IEEE 802.11a/IEEE 802.11b）規定に従って無線ＬＡＮ機器間が相互接続するシステムを利用したものでもよい。そのような携帯電話機１９としては、例えば、skipe（登録商用）用のWiFi電話機がある。WiFi電話機は、無線ＬＡＮに対応した端末の一種なので、無線ＬＡＮで規定された手順により、ネットワークに参加した後、電話機として機能する。また、現在広く普及している一般の携帯電話システムを利用してもよい。
【００１８】
この監視カメラ連動インターホンシステムは、従来の集合住宅用インターホンシステム、および携帯電話システムと同様の機能を備えている。すなわち、ロビー機１４で住戸を指定して呼出操作すると、インターホン制御装置１５は、指定された住戸のインターホン親機１１を呼び出す。呼び出されたインターホン親機１１は、チャイム等を鳴動させ、居住者に来客を伝える。居住者が応答操作をすると、インターホン制御装置１５によって、インターホン親機１１と、ロビー機１４との間に通話路が形成され、相互通話が可能になる。また、インターホン制御装置１５は、住棟ロビーに設置されているカメラをスイッチ１６によって選択して、そのカメラが撮影している映像信号を、インターホン親機１１に伝送させ、そのモニタテレビ１０５に再生させる。このインターホン親機１１とロビー機１４との相互通話は、インターホン親機１１で所定の操作がなされるか、あるいは所定の時間経過によって終了する。
【００１９】
また、携帯電話システムとしては、携帯電話サーバ装置１８は、各アクセスポイント１３から定期的に所定の確認電波を発信して、圏内に携帯電話機１９があるか否かを確認し、携帯電話機１９がある場合には、それに割り付けられているアドレス情報を取得している。このアドレス情報は、携帯電話サーバ装置１８にデータベースとして更新保持される。従って、携帯電話機１９があるアクセスポイント１３の圏内から、他のアクセスポイント１３の圏内に移動すれば、携帯電話サーバ装置１８によって、その移動が自動的に追跡される。また、携帯電話サーバ装置１８は、ネットワークを通じて、他場所にある携帯電話サーバ装置１８、システムと連動することで、携帯電話機１９とネットワーク上の通信装置との通話が可能である。
【００２０】
本発明では、インターホン制御装置１５は、監視カメラ１２のそれぞれを、監視カメラ１２の近傍に設置されたアクセスポイント１３に対応させて登録した記憶手段を備え、インターホン親機１１は、携帯電話機１９に割り付けられたアドレスを登録する記憶手段を備えている。
【００２１】
これにより、携帯電話機１９のアドレスを予めインターホン制御装置１５に登録しておけば、その携帯電話機１９を所持した者のいる地点を、携帯電話システムによって検索して、近傍に設置されている監視カメラ１２が撮影している映像をインターホン親機１１に伝送し再生させる連動機能が実現される。
【００２２】
すなわち、インターホン親機１１は、所定の操作を受けると、インターホン制御装置１５に対して、そのアドレスを含ませた映像要求指令を送信し、インターホン制御装置１５は、その指令を受信すると、アクセスポイント１３を制御する携帯電話サーバ装置１８に該指令に含まれたアドレスを通知し、その返信によって、そのアドレスが割り付けられた携帯電話機１９と通信可能な状態になっているアクセスポイント１３を特定する。そして、その特定したアクセスポイント１３に対応した監視カメラ１２で撮影している映像信号を、インターホン親機１１に対して伝送させ、インターホン親機１１は、その映像信号を再生出力する。
【００２３】
このように、本発明によれば、インターホン制御装置１５は、インターホン親機１１からの指令に基づいて、子供等、所在を検出すべき者が持参している携帯電話機１９のアドレスを、携帯電話サーバ装置１８に通知することで、その携帯電話機１９が通信圏内にいるアクセスポイント１３を特定し、その近傍に設置されている監視カメラ１２が撮影している映像を、インターホン親機１１に伝送させ、モニタテレビ１０５で再生させるようになっている。従って、従来の構成のような手動操作で監視カメラ１２を順次切り替える操作なしに、所在を検出すべき者が映っている映像を取得できて、利便である。
【００２４】
携帯電話機１９に割り付けられたアドレスを、インターホン親機１１に登録する構成では、居住者自らが管理人の手を煩わせずに携帯電話機１９のアドレスを登録することが可能であり、プライバシーが守られるという利点がある。
【００２５】
なお、別例として、インターホン制御装置１５は、監視カメラ１２のそれぞれを、該監視カメラ１２の近傍に設置されたアクセスポイント１３に対応させて登録し、かつ携帯電話機１９に割り付けられたアドレスを、インターホン親機１１毎に登録した記憶手段を備えるようにしてもよい。
【００２６】
この場合、インターホン親機１１は、所定の操作を受けると、インターホン制御装置１５に対して、所定の映像要求指令を送信し、インターホン制御装置１５は、その指令を受信すると、インターホン親機１１に対応した携帯電話機１９のアドレスを、アクセスポイント１３を制御する携帯電話サーバ装置１８に通知することで、該アドレスが割り付けられた携帯電話機１９と通信可能な状態になっているアクセスポイント１３を特定する。そして、その特定したアクセスポイント１３に対応した監視カメラ１２で撮影している映像信号を、インターホン親機１１に対して伝送させ、インターホン親機１１は、その映像信号を再生出力する。このようにすれば、携帯電話機１９に割り付けられたアドレスを登録するための記憶回路が集約でき、低コストになる。
【００２７】
なお、上記いずれの例においても、インターホン制御装置１５は、アクセスポイント１３の特定が不成功の場合には、その旨を、インターホン親機１１に通知して報知させるようにすれば、子供を捜す場合等、迅速に対処ができるので、より安全である。
【００２８】
図２のブロック図は、本発明のより具体的な実施例である。ここで、インターホン親機１１に接続されているドアホン子器１１ｂは省略している。また、共用部としては、キッズルームのみを示している。
【００２９】
このシステムで各住戸に設置されたインターホン親機１１は、インターホン制御装置１５との間で制御信号を送受信する制御信号送受信部１０１と、エンコードされた映像／通話信号を受信すると共に、通話信号を送信する映像／通話信号送受信部１０２と、ＣＰＵで構成された制御部１０３と、呼出音を鳴動させると共に、ハンズフリーで通話を行わせる通話部１０４と、液晶パネル等からなるモニタテレビ１０５を有した表示部１０６と、複数の操作キーを有した操作部１０７とを備えている。
【００３０】
管理室等に設置されたインターホン制御装置１５は、インターホン親機１１およびロビー機１４との間で制御信号を送受信する制御信号送受信部１０１と、インターホン親機１１およびロビー機１４との間で通話信号を中継する通話信号送受信部１０２と、ＣＰＵで構成された制御部１０３とを備える。
【００３１】
ロビー機１４は、来訪者を撮影する監視カメラ１２と、インターホン制御装置１５との間で制御信号を送受信する制御信号送受信部１０１と、監視カメラ１２が撮影している映像信号を映像制御盤１７に出力する映像出力部１０８と、ハンズフリーで通話を行わせる通話部１０４と、呼び出すべき住戸を指定する操作部１０７と、ＣＰＵで構成された制御部１０３とを備える。
【００３２】
スイッチ１６は、複数の監視カメラ１２から伝送されてくる映像信号のいずれかを選択する映像入力部１０９と、選択した映像信号を送出する映像出力部１０８と、インターホン制御装置１５との間で制御信号を送受信する制御信号送受信部１０１と、ＣＰＵで構成された制御部１０３とを備える。
【００３３】
映像制御盤１７は、ロビー機１４およびスイッチ１６から伝送されてくる映像信号を選択する映像入力部１０９と、映像信号と通話信号とを重畳させて所定形式の映像／通話信号にエンコードする映像／通話結合部１１０と、その映像／通話信号をインターホン親機１１に送信すると共に、インターホン親機１１から通話信号を受信する映像／通話信号送受信部１０２と、ＣＰＵで構成された制御部１０３とを備える。
【００３４】
アクセスポイント１３は、無線ＬＡＮに対応したアクセスポイント１３として構成されており、無線ＬＡＮ送受信モジュール１１１と、携帯電話サーバ装置１８との間で制御信号やデータを送受信するデータ送受信部１１２と、ＣＰＵで構成された制御部１０３とを備えている。
【００３５】
携帯電話サーバ装置１８は、アクセスポイント１３との間で制御信号やデータを送受信するデータ送受信部１１２と、インターホン制御装置１５との間で制御信号を送受信する制御信号送受信部１０１と、インターネット等のネットワークとの間で制御信号やデータを送受信するネットワーク通信部１１３と、ＣＰＵで構成された制御部１０３とを備える。
【００３６】
また、携帯電話機１９は、アクセスポイント１３と無線通信する無線ＬＡＮ送受信モジュール１１１と、呼出音を鳴動させると共に、通話を行わせる通話部１０４と、操作部１０７と、表示部１０６とを備えており、電源電池１１４によって作動する。
【００３７】
図３のフロー図は、インターホン親機１１、インターホン制御装置１５、携帯電話サーバ装置１８、スイッチ１６、監視カメラ１２間の信号伝送を上下時系列的に示している。
【００３８】
このフロー図によれば、まず、インターホン親機１１は、所定の呼出操作がなされたことにより、インターホン制御装置１５に対して、携帯電話機１９のアドレスを含ませた映像要求指令を送信している。これを受けたインターホン制御装置１５は、携帯電話サーバ装置１８に、その携帯電話機１９のアドレスを通知している。
【００３９】
携帯電話サーバ装置１８は、その通知されたアドレスの携帯電話機１９と通信可能状態にあるアクセスポイント１３を検索する。これは、携帯電話サーバ装置１８は、アクセスポイント１３に携帯電話機１９のアドレスを付加した所在確認信号を各アクセスポイント１３に送信し、そのアドレスの携帯電話機１９と通信可能状態にあるアクセスポイント１３が、自身のアクセスポイント情報を返信する手順によってなされる。その後、携帯電話サーバ装置１８は、そのアクセスポイント１３を示した情報をインターホン制御装置１５に返信している。
【００４０】
インターホン制御装置１５は、その携帯電話サーバ装置１８からの返信によって、アクセスポイント１３を特定すると、対応した監視カメラ１２を選択するための制御信号をスイッチ１６に送信している。
【００４１】
スイッチ１６は、その制御信号に基づいて監視カメラ１２を選択して、その監視カメラ１２で撮影している映像信号を、インターホン親機１１に対して伝送させている。
【符号の説明】
【００４２】
１１    インターホン親機
１２    監視カメラ
１３    アクセスポイント
１５    インターホン制御装置
１８    携帯電話サーバ装置
１９    携帯電話機
１０５  モニタテレビ
【図１】
2010245644.tif 000003
【図２】
2010245644.tif 000004
【図３】
2010245644.tif 000005